(57)【要約】【課題】周囲の明るさに応じて従来よりも見やすい輝度で表示装置に表示することが可能な携帯通信端末を提供する。【解決手段】携帯端末装置は、表示装置３０と、照度センサ３２と、現在時刻の情報と携帯端末装置の現在位置に関する情報とを検出する検出部６２と、輝度制御部６４とを備える。輝度制御部６４は、照度センサ３２の現在の検出値に基づいて表示装置３０の輝度レベルを制御する。輝度制御部６４は、検出した現在時刻および現在位置に関する情報に基づいて、表示装置３０の輝度レベルを制御させる際の輝度変化率を変更する。【選択図】図３
2016095365.tif 000002
【特許請求の範囲】
【請求項１】
携帯端末装置であって、
表示装置と、
照度センサと、
現在時刻の情報と前記携帯端末装置の現在位置に関する情報とを検出する検出部と、
前記照度センサの現在の検出値に基づいて前記表示装置の輝度レベルを制御する輝度制御部とを備え、
前記輝度制御部は、前記検出した現在時刻および現在位置に関する情報に基づいて、前記表示装置の輝度レベルを制御する際の輝度変化率を変更する、携帯端末装置。
【請求項２】
前記輝度制御部は、予め定められた複数の輝度制御モードのうちどの輝度制御モードに該当するかを、前記検出した現在時刻および現在位置に関する情報に基づいて判定する輝度制御モード判定部を含み、
前記輝度制御部は、前記複数の輝度制御モードのうち現在設定されている輝度制御モードと前記照度センサの現在の検出値とに基づいて、前記表示装置の輝度レベルを制御する、請求項１に記載の携帯端末装置。
【請求項３】
前記輝度制御モード判定部は、
前記携帯端末装置の現在位置が所定の建物内である場合に、前記輝度制御モードを建物内モードに設定し、
前記携帯端末装置の現在位置が前記所定の建物内でない場合において、現在時刻が昼間の場合に、前記輝度制御モードを第１モードに設定するように構成され、
前記輝度制御部は、前記表示装置の輝度を増加させる場合、前記第１モードにおける輝度の増加率が前記建物内モードにおける輝度の増加率よりも大きくなるように、前記表示装置の輝度を制御する、請求項２に記載の携帯端末装置。
【請求項４】
前記輝度制御モード判定部は、
前記検出部によって検出された現在時刻が昼間の場合に、前記輝度制御モードを昼間モードに設定し、
前記携帯端末装置の現在位置が所定の建物内である場合において、現在時刻が夜間の場合に、前記輝度制御モードを第２モードに設定し、
前記輝度制御部は、前記表示装置の輝度を減少させる場合、前記第２モードにおける輝度の減少率の絶対値が前記昼間モードにおける輝度の減少率の絶対値よりも大きくなるように、前記表示装置の輝度を制御する、請求項２に記載の携帯端末装置。
【請求項５】
前記携帯端末装置は、さらに、
加速度センサと、
ＧＰＳ（Global  Positioning  System）モジュールまたは無線ＬＡＮ（Local  Area  Network）モジュールとを備え、
前記検出部は、前記加速度センサによって前記携帯端末装置の移動が検出された場合に限って、ＧＰＳモジュールまたは無線ＬＡＮモジュールに基づいて前記携帯端末装置の現在位置に関する情報を検出するように構成される、請求項１〜４のいずれか１項に記載の携帯端末装置。
【発明の詳細な説明】
【技術分野】
【０００１】
この発明は、携帯端末装置に関し、たとえば、スマートフォンなどに好適に用いられるものである。
【背景技術】
【０００２】
スマートフォンなどの携帯端末装置は、様々な環境で用いられるため、周囲の明るさに応じて携帯端末装置に設けられた表示装置の輝度を調整する必要がある。特開２００５−３１６３２２号公報（特許文献１）は、周囲の明るさに応じて自動的に表示装置の輝度調整を行う方法を開示する。
【０００３】
具体的にこの文献の携帯端末装置は、周囲の明るさが短時間にめまぐるしく変化するような状況下においても、ユーザの目への負担をかけることなく最適な輝度レベルに調整できるようにすることを目的する。このため、この携帯端末装置は、輝度レベルを自動で調整する場合、表示装置の輝度を所定の変化量で漸次増加または漸次減少させる。
【先行技術文献】
【特許文献】
【０００４】
【特許文献１】特開２００５−３１６３３２号公報
【発明の概要】
【発明が解決しようとする課題】
【０００５】
利用環境によっては、周囲の明るさに応じて表示装置の輝度を速やかに変化させたほうが望ましい場合がある。たとえば、ユーザが日中に屋内から屋外に移動したときのように、周囲の明るさが暗い環境から明るい環境に急に変化した場合には、上記の特許文献のように表示装置の輝度を緩やかに上昇させると、輝度が十分に上昇するまでの間、画面が視辛くなってしまう。
【０００６】
この発明は、上記の問題点を考慮してなされたものであって、その目的は、周囲の明るさに応じて従来よりも見やすい輝度で表示装置に表示することが可能な携帯通信端末を提供することである。
【課題を解決するための手段】
【０００７】
この発明の携帯端末装置は、表示装置と、照度センサと、現在時刻の情報と携帯端末装置の現在位置に関する情報とを検出する検出部と、輝度制御部とを備える。輝度制御部は、照度センサの現在の検出値に基づいて表示装置の輝度レベルを制御する。輝度制御部は、検出した現在時刻および現在位置に関する情報に基づいて、表示装置の輝度レベルを制御する際の輝度変化率を変更する。
【発明の効果】
【０００８】
この発明によれば、周囲の明るさに応じて従来よりも見やすい輝度で表示装置に表示することが可能である。
【図面の簡単な説明】
【０００９】
【図１】第１の実施形態による携帯端末装置のハードウェア構成を概略的に示すブロック図である。
【図２】図１の携帯端末装置の外観を示す正面図である。
【図３】携帯端末装置において表示装置の輝度制御に関係する機能ブロック図である。
【図４】表示装置の輝度制御の具体例を示すタイミング図である。
【図５】携帯端末装置の輝度を制御する手順を示すフローチャートである。
【図６】図５のステップＳ１２０の手順をさらに詳しく示すフローチャートである。
【図７】図６の変形例を示すフローチャートである。
【図８】図５のステップＳ１３０の手順をさらに詳しく示すフローチャートである。
【図９】第２の実施形態による携帯端末装置において、図５のステップＳ１２０の手順をさらに詳しく示すフローチャートである。
【図１０】図９の変形例を示すフローチャートである。
【発明を実施するための形態】
【００１０】
以下、各実施形態について図面を参照して詳しく説明する。以下では、携帯通信端末としてスマートフォンを例に挙げて説明するが、必ずしもスマートフォンに限定されるものでない。以下の説明において、同一または相当する部分には同一の参照符号を付して、その説明を繰返さない。
【００１１】
＜第１の実施形態＞
［携帯端末装置の全体構成］
図１は、第１の実施形態による携帯端末装置のハードウェア構成を概略的に示すブロック図である。
【００１２】
図１を参照して、携帯端末装置１０は、ＣＰＵ（Central  Processing  Unit）１２、ＲＡＭ（Random  Access  Memory）１４、ＲＯＭ（Read  Only  Memory）１６、複数の無線通信モジュール１８、複数の無線通信用のアンテナ２０、ＧＰＳ（Global  Positioning  System）モジュール２２、ＧＰＳ用のアンテナ２４、およびタッチパネル２６を含む。
【００１３】
ＣＰＵ１２は、ＲＡＭ１４およびＲＯＭ１６に格納されたプログラムに基づいて、携帯端末装置１０全体を制御する。ＲＡＭ１４は、ＣＰＵ１２の主記憶として用いられる。ＲＯＭ１６としてフラッシュメモリなどのＥＥＰＲＯＭ（Electrically  Erasable  Programmable  Read-Only  Memory）を使用してもよい。
【００１４】
無線通信モジュール１８は、携帯電話用、無線ＬＡＮ（Local  Area  Network）用、近距離無線通信用など、通信方式に応じて複数設けられている。無線通信モジュール１８は、送信信号の変調および周波数変換（アップコンバート）、受信信号の周波数変換（ダウンコンバート）および復調などを行う。
【００１５】
ＧＰＳモジュール２２は、衛星測位システムで用いられる受信装置である。衛星測位システムでは、約３０個のＧＰＳ衛星のうちで自装置から見通し範囲にある少なくとも３個または４個の衛星からの信号を受信し、受信した信号に基づいて自装置の現在位置を検出する。
【００１６】
タッチパネル２６（タッチスクリーンとも称する）は、液晶ディスプレイ（ＬＣＤ：Liquid  Crystal  Display）などの表示装置３０と、表示装置３０と一体的に形成されたタッチパッド２８とを含む。タッチパッド２８は、画面上への指またはペンなどの接触位置を検出する位置入力装置である。
【００１７】
携帯端末装置１０は、さらに、照度センサ３２、加速度センサ３４、角速度センサ３６、地磁気センサなど３８などの各種のセンサ、ならびにリアルタイムクロック４０を含む。リアルタイムクロック４０は、携帯端末装置１０が電源オフの場合でも動作可能な時計である。携帯端末装置１０は、その他に、携帯電話に用いられる図示しないマイクロフォン、スピーカなどを含む。さらに、携帯端末装置１０は、表示装置３０の表示をホーム画面に戻すためのホームボタンなど、複数のハードウェアボタンを含む。携帯端末装置１０では、上記の構成部品がバス４２を介して相互に接続されている。
【００１８】
図２は、図１の携帯端末装置の外観を示す正面図である。図２を参照して、携帯端末装置１０は略矩形で板状の筐体５０を含み、この筐体５０の表面および内部に図１で説明した各構成部品が実装されている。タッチパネル２６は、筐体５０の正面に取り付けられている。タッチパネル２６の下部にホームボタン５２が設けられ、タッチパネル２６のたとえば上部（タッチパネル２６の表示面の近傍）に照度センサ３２が取り付けられている。図１のＣＰＵ１２、ＲＡＭ１４、ＲＯＭ１６、無線通信モジュール１８、ＧＰＳモジュール２２、加速度センサ３４、角速度センサ３６、地磁気センサ３８などは、筐体５０の内部に設けられたプリント基板上に実装されている。
【００１９】
［携帯端末装置の機能的構成］
図３は、携帯端末装置において表示装置の輝度制御に関係する機能ブロック図である。図１および図３を参照して、ＣＰＵ１２は、表示装置３０の輝度制御のためのプログラムが実行されることによって、利用状況検出部６２、輝度制御部６４、および表示制御部６６として機能する。
【００２０】
利用状況検出部６２は、ユーザが携帯端末装置を利用する利用場所および利用時刻などに関する情報（以下、利用状況と総称する）を検出する。具体的に、利用時刻はリアルタイムクロック４０によって検出され、利用場所に関する情報はＧＰＳモジュール２２、無線通信モジュール１８、および各種センサ（特に加速度センサ３４）などによって検出される。
【００２１】
輝度制御部６４は、表示装置３０の表示面における照度（照度センサ３２の測定値）が変化したとき、現在の照度に応じた輝度レベルとなるように表示装置３０の輝度を制御する。
【００２２】
より詳しくは、輝度制御部６４は、少なくとも利用時刻および利用場所に関する情報（利用状況）に基づいて、輝度制御モードを設定する。輝度制御部６４が表示装置３０の輝度レベルを制御する際の表示装置３０の輝度変化の仕方（照度変化に対する画面輝度の追従の仕方、すなわち輝度変化率）は、輝度制御モードに応じて異なる。
【００２３】
表示制御部６６は、表示装置３０の画面表示内容を制御する。表示制御部６６は、輝度制御部６４からの指令に基づいて表示装置３０の輝度レベルを設定する。表示装置３０の輝度レベルは多段階に設定可能とする。
【００２４】
［輝度制御の具体例］
図４は、表示装置の輝度制御の具体例を示すタイミング図である。図４の例では、輝度制御モードとして、通常モード、第１モード、および第２モードが設けられている場合を示している。
【００２５】
通常モードは、第１モードおよび第２モード以外の一般的な場合の輝度制御モードである。図４（ａ）および（ｂ）を参照して、照度センサ３２によって検出された照度が時刻ｔ１で増加すると、図３の輝度制御部６４は、時刻ｔ１から所定の遅延時間が経過した時刻ｔ４から時刻ｔ５までの間に比較的緩やか増加率で、現在の照度に対応した輝度レベルまで表示装置３０の輝度を増加させる。同様に、照度センサ３２によって検出された照度が時刻ｔ６で減少すると、輝度制御部６４は、時刻ｔ４から所定の遅延時間が経過した時刻ｔ９から時刻ｔ１０までの間に比較的緩やかな減少率で、現在の照度に対応した輝度レベルまで表示装置３０の輝度を減少させる。このように、通常モードでは、照度変化に対して比較的緩やかに画面の輝度を追随させることによって、画面のちらつき等によるユーザの目に対する負担を軽減し、違和感をなくすことができる。
【００２６】
第１モードは、たとえば、昼間の外出中の場合に対応している。携帯端末装置１０を所持しているユーザが建物の中から太陽の下に移動したときには、照度センサ３２によって検出される照度が増加する（図４の時刻ｔ１）。この場合、表示装置３０の輝度変化の追随性が悪いと、画面が暗くて見辛くなる。そこで、図４（ｃ）の第１モードに示すように、輝度制御部６４は、通常モードの場合よりも早いタイミングである時刻ｔ２から時刻ｔ３の間において、通常モードの場合よりも大きな増加率で、現在の照度に対応した輝度レベルまで表示装置３０の輝度を速やかに増加させる。
【００２７】
一方、携帯端末装置１０を所持しているユーザが太陽の下から建物の中に移動したときには、照度センサ３２によって検出される照度が減少する（図４の時刻ｔ６）。この場合、表示装置３０の輝度変化の追随性が悪くても、ユーザは画面の眩しさが気になることはない。そこで、この場合には、図４（ｃ）の第１モードの時刻ｔ６から時刻ｔ１０までの間で示すように、輝度制御部６４は、通常モードの場合と同様の追随性で表示装置３０の輝度を減少させる。
【００２８】
第２モードは、たとえば、夜間でユーザが自宅などの所定の建物内にいる場合に対応している。ユーザが自宅の部屋の照明を消灯した場合には、照度センサ３２によって検出される照度が減少する（図４の時刻ｔ６）。この場合、表示装置３０の輝度変化の追随性が悪いと、画面が明るすぎて眩しくなる。そこで、図４（ｄ）第２モードに示すように、輝度制御部６４は、通常モードの場合よりも早いタイミングである時刻ｔ７から時刻ｔ８の間において、通常モードの場合よりも大きな減少率で、現在の照度に対応した輝度レベルまで表示装置の３０の輝度を速やかに減少させる。
【００２９】
一方、夜間にユーザが自宅の部屋の照明を点灯した場合には、照度センサ３２によって検出される照度が増加する（図４の時刻ｔ１）。この場合、表示装置３０の輝度変化の追随性が悪くても、日中の外出中の場合に比べてユーザは画面が暗くて見辛くなることはない。そこで、この場合には、図４（ｄ）の第２モードの時刻ｔ１から時刻ｔ５の間で示すように、輝度制御部６４は、通常モードの場合と同様の追随性で表示装置３０の輝度を増加させる。
【００３０】
［輝度制御の手順］
以下、図５〜図８のフローチャートを主として参照して、表示装置３０の輝度を制御する手順を詳しく説明する。
【００３１】
図５は、携帯端末装置の輝度を制御する手順を示すフローチャートである。図１、図３、図５を参照して、輝度制御部６４は、表示装置３０の電源がオンされた場合に（ステップＳ１００でＹＥＳ）、表示装置３０の輝度レベルを初期レベルに設定する。さらに、輝度制御部６４の輝度制御モード判定部６８は、輝度制御モードを通常モードに初期設定する（ステップＳ１１０）。
【００３２】
続いて、利用状況検出部６２は、リアルタイムクロック４０によって利用時刻を検出するとともに、ＧＰＳモジュール２２、無線通信モジュール１８、および各種センサ（３４，３６，３８）等の出力に基づいて利用場所に関する情報を検出する。輝度制御部６４の輝度制御モード判定部６８は、検出した利用時刻および利用場所に関する情報に基づいて、輝度制御モードを設定する（ステップＳ１２０）。本実施形態の場合、輝度制御モードには通常モード、第１モード、および第２モードがある。具体的な利用場所に関する情報の検出方法と、輝度制御モードの設定方法については、図６および図７のフローチャートを参照して後述する。
【００３３】
続いて、輝度制御部６４は、設定された輝度制御モードと、照度センサ３２の検出値とに基づいて表示装置３０の輝度を制御する（ステップＳ１３０）。具体的な輝度制御の方法は図８のフローチャートを参照して後述する。上記のステップＳ１２０およびＳ１３０は、表示装置３０の電源がオフとなるまで（ステップＳ１４０でＹＥＳとなるまで）、所定の制御周期で繰り返される。
【００３４】
図６は、図５のステップＳ１２０の手順をさらに詳しく示すフローチャートである。図６の例では、現在位置および現在時刻に関する情報の検出は、携帯端末装置１０を携帯しているユーザの移動が検出された場合に限って（ステップＳ２００でＹＥＳの場合に）実行される。ユーザが移動しているか否かは、たとえば、加速度センサ３４によって検出された上下方向および前後方向（または左右方向）の動きに基づいて判定することができる。誤検出を防止するために、所定時間以上（たとえば、数秒以上）の継続した移動が検出された場合に、ユーザが移動していると判定するのが望ましい。一方、移動が検出されなかった場合（ステップＳ２００でＮＯ）、すなわち携帯端末装置１０が静止状態にあると検出された場合には、現在設定されている輝度検出モードが維持される。
【００３５】
図１、図３、図６を参照して、利用状況検出部６２は、ユーザの移動を検出すると（ステップＳ２００でＹＥＳ）、携帯端末装置１０（自装置）の現在位置（すなわち、利用場所）に関する情報および現在時刻に関する情報を検出する（ステップＳ２０５）。自装置の現在位置に関する情報の検出は、たとえば、ＧＰＳ信号を利用してもよいし、無線ＬＡＮのアクセスポイントの検出を利用してもよいし、近距離無線通信の相手機器の検出を利用してもよい。あるいは、これらを複数組み合わせて現在位置に関する情報を検出してもよい。無線ＬＡＮのアクセスポイントのアドレスおよび近距離無線通信の相手機器のアドレスを事前に自装置のＲＯＭ１６などに登録しておくことによって、携帯端末装置１０の現在位置が登録された場所に該当するか否かを判定することができる。
【００３６】
次に、輝度制御部６４の輝度制御モード判定部６８は、自装置の現在位置に関する情報の検出結果に基づいて、自装置が所定の第１の建物内にある（ステップＳ２１０でＹＥＳ）と判定した場合に、輝度制御モードを「建物内モード」に設定する（ステップＳ２１５）。図６の例では、建物内モードは通常モードに対応する（ステップＳ２３５）。ここで、第１の建物とは、自宅、職場、駅の構内などである。
【００３７】
一方、輝度制御モード判定部６８は、自装置の現在位置が第１の建物内でないと判定した場合において（ステップＳ２１０でＮＯ）、現在時刻が昼間である（ステップＳ２２０でＹＥＳ）と判定した場合には、輝度制御モードを第１モードに設定する（ステップＳ２４０）。ここで、昼間とは、日の出から日没までの時間帯を指す。日の出から日没までのうちである限られた時間帯（たとえば、早朝と夕方を除く）を昼間と定義するようにしてもよい。輝度制御モード判定部６８は、自装置の現在位置が第１の建物内になく（ステップＳ２１０でＮＯ）、現在時刻が昼間でない（ステップＳ２２０でＮＯ）と判定した場合には、輝度制御モードを通常モードに設定する（ステップＳ２３５）。
【００３８】
以上の輝度制御モードの設定は、制御周期ごとに繰り返し実行される。なお、自装置の移動が検出されなかった場合には、現在設定されている輝度制御モードがそのまま維持される。
【００３９】
図７は、図６の変形例を示すフローチャートである。図７のフローチャートは、輝度制御モードを建物内モードに設定した（ステップＳ２１５）後の手順が図６の場合と異なる。具体的に図７の変形例では、建物内モードは通常モードと第２モードとにさらに区分される。図７のその他の制御手順は図６の場合と同じであるので、同一または相当するステップには同一の参照符号を付して説明を繰り返さない。
【００４０】
図１、図３、図７を参照して、輝度制御モード判定部６８は、輝度制御モードを建物内モードに設定した場合において（ステップＳ２１５）、現在時刻が夜間であると判定した場合には（ステップＳ２２５でＹＥＳ）、自装置の現在位置が第２の建物内にあるか否かを判定する（ステップＳ２３０）。ここで、夜間とは、日没から日の出までの時間帯を指す。日没から日の出までの時間帯のうちである限られた時間帯（たとえば、就寝時間帯）を夜間と定義するようにしてもよい。また、第２の建物は、第１の建物に含まれ、たとえば、自宅などを指す。
【００４１】
輝度制御モード判定部６８は、輝度制御モードを建物内モードに設定した場合において（ステップＳ２１５）、現在時刻が夜間であり（ステップＳ２２５でＹＥＳ）、自装置の現在位置が第２の建物内であると判定した場合には（ステップＳ２３０でＹＥＳ）、輝度制御モードを第２モードに設定する（ステップＳ２４５）。一方、輝度制御モード判定部６８は、輝度制御モードを建物内モードに設定した場合において（ステップＳ２１５）、現在時刻が夜間でないと判定した場合（ステップＳ２２５でＮＯ）、または自装置の現在位置が第２の建物内にないと判定した場合（ステップＳ２３０でＮＯ）には、輝度制御モードを通常モードに設定する（ステップＳ２３５）。
【００４２】
以上の輝度制御モードの設定は、制御周期ごとに繰り返し実行される。なお、自装置の移動が検出されなかった場合には、現在設定されている輝度制御モードがそのまま維持される。
【００４３】
図８は、図５のステップＳ１３０の手順をさらに詳しく示すフローチャートである。図１、図３、図８を参照して、まず、輝度制御部６４は、照度センサ３２によって照度を検出する（Ｓ３００）。
【００４４】
まず、検出された現在の照度に対応する輝度レベル（以下、「目標輝度レベル」と称する）が、現在設定されている輝度レベルよりも大きい場合には（ステップＳ３１０でＹＥＳ）、輝度制御部６４は、輝度制御モードが第１モードであるか否かを判定する（ステップＳ３３０）。この結果、輝度制御モードが第１モードの場合には（ステップＳ３３０でＹＥＳ）、輝度制御部６４は、通常モードの場合よりも短く設定された遅延時間が経過した後（遅延時間を０にしてもよい）、通常モードの場合よりも急峻な増加率で目標輝度レベルまで輝度が増加するように表示装置３０を制御する（ステップＳ３５０）。一方、輝度制御モードが第１モードでない場合には（ステップＳ３３０でＮＯ）、輝度制御部６４は、通常モードにおける遅延時間および輝度増加率に従って、比較的緩やかに目標輝度レベルまで輝度が増加するように表示装置３０を制御する（ステップＳ３６０）。
【００４５】
逆に、目標輝度レベルが現在設定されている輝度レベルよりも小さい場合には（ステップＳ３２０でＹＥＳ）、輝度制御部６４は、輝度制御モードが第２モードであるか否かを判定する（ステップＳ３４０）。この結果、輝度制御モードが第２モードの場合には（ステップＳ３４０でＹＥＳ）、通常モードの場合よりも短く設定された遅延時間が経過した後（遅延時間を０にしてもよい）、通常モードの場合よりも急峻な減少率で目標輝度レベルまで輝度が減少するように表示装置３０を制御する（ステップＳ３７０）。一方、輝度制御モードが第２モードでない場合には（ステップＳ３４０でＮＯ）、通常モードにおける遅延時間および輝度増加率に従って、比較的緩やかに目標輝度レベルまで輝度が減少するように表示装置３０を制御する（ステップＳ３８０）。
【００４６】
以上の表示装置３０の輝度制御は、制御周期ごとに繰り返し実行される。制御周期は、通常モードの場合に表示装置３０の輝度変化に要する時間（遅延時間＋増加または減少時間）よりも短く設定されている。したがって、表示装置３０の輝度が目標輝度レベルに到達する前に照度センサ３２の検出値が変化した場合には、目標輝度レベルが再設定され、再設定された輝度に応じて遅延時間および輝度の増加率（または減少率）が再設定される。
【００４７】
［第１の実施形態の効果］
以上のとおり、第１の実施形態の携帯端末装置によれば、ユーザによる携帯端末装置の利用状況（利用時刻および利用場所に関する情報など）が検出される。照度センサの検出値に基づいて表示装置の輝度を自動調整する際には、この検出した利用状況に応じて、照度変化に対する画面輝度の追従の仕方が調整される。この結果、利用状況に応じて急峻な輝度変化が必要な場合と、ちらつき等によるユーザの違和感を抑制するために緩やかに輝度変化させる場合とを両立させることができる。
【００４８】
＜第２の実施形態＞
第２の実施形態による携帯端末装置において、図１〜図５で説明した装置構成および基本的な動作は、第１の実施形態の場合と同じである。さらに、図５のステップＳ１３０の詳細な動作も、図８の場合と同様である。一方、第２の実施形態の場合には、図５のステップＳ１２０の詳細な動作が第１の実施形態で説明した図６および図７場合と異なる。以下、図９および図１０のフローチャートを参照してステップＳ１２０の詳細な動作について説明する。
【００４９】
図９は、第２の実施形態による携帯端末装置において、図５のステップＳ１２０の手順をさらに詳しく示すフローチャートである。図９の例では、第１の実施形態の場合と同様に、現在時刻および自装置の現在位置に関する情報の検出は、携帯端末装置１０を携帯しているユーザの移動が検出された場合に限って（ステップＳ４００でＹＥＳの場合に）実行される。第６で説明したように、ユーザの移動の検出は、たとえば、加速度センサ３４を用いて行われる。
【００５０】
図１、図３、図９を参照して、利用状況検出部６２は、ユーザの移動を検出すると（ステップＳ４００でＹＥＳ）、現在位置に関する情報および現在時刻に関する情報を検出する（ステップＳ４０５）。
【００５１】
次に、輝度制御部６４の輝度制御モード判定部６８は、現在時刻の検出結果に基づいて、現在時刻が昼間である（ステップＳ４１０でＹＥＳ）と判定した場合に、輝度制御モードを昼間モードに設定する（ステップＳ４１５）。図９の例では、昼間モードは通常モードに対応する（ステップＳ４３５）。ここで、昼間とは、図６で説明したように日の出から日没までの時間帯を指す。日の出から日没までのうちである限られた時間帯（たとえば、早朝と夕方を除く）を昼間と定義するようにしてもよい。
【００５２】
輝度制御モード判定部６８は、現在時刻が昼間でないと判定した場合に（ステップＳ４１０でＮＯ）、自装置の現在位置に関する情報の検出結果に基づいて自装置が所定の第２の建物内にあるか否かを判定する（ステップＳ４２０）。ここで、第２の建物とは、図７で説明したように自宅等を指す。
【００５３】
この結果、輝度制御モード判定部６８は、自装置が第２の建物内にあり（ステップＳ４２０でＹＥＳ）、さらに現在時刻が夜間であると判定した場合（ステップＳ４２５でＹＥＳ）には、輝度制御モードを第２モードに設定する。ここで、夜間とは、図６で説明したように日没から日の出までの時間帯を指す。日没から日の出までの時間帯のうちである限られた時間帯（たとえば、就寝時間帯）を夜間と定義するようにしてもよい。
【００５４】
一方、輝度制御モード判定部６８は、現在時刻が昼間でないと判定した場合において（ステップＳ４１０でＮＯ）、自装置の位置が第２の建物内にない場合（ステップＳ４２０でＮＯ）、または現在時刻が夜間でない場合（ステップＳ４２５でＮＯ）には、輝度制御モードを通常モードに設定する（ステップＳ４３５）。
【００５５】
以上の輝度制御モードの設定は、制御周期ごとに繰り返し実行される。なお、自装置の移動が検出されなかった場合には、現在設定されている輝度制御モードがそのまま維持される。
【００５６】
図１０は、図９の変形例を示すフローチャートである。図１０のフローチャートは、輝度制御モードを昼間モードに設定した（ステップＳ４１５）後の手順が図９の場合と異なる。具体的に図１０の変形例では、昼間モードは通常モードと第１モードとにさらに区分される。図１０その他の制御手順は図９の場合と同じであるので、同一または相当する部分には同一の参照符号を付して説明を繰り返さない。
【００５７】
図１、図３、図１０を参照して、輝度制御モード判定部６８は、輝度制御モードを昼間モードに設定した場合に（ステップＳ４１５）、自機の現在位置が所定の第１の建物内にあると判定した場合には（ステップＳ４３０でＹＥＳ）、輝度制御モードを通常モードに設定する（ステップＳ４３５）。この場合の第１の建物は、図６、図７で説明したように第２の建物を含み、たとえば、自宅、職場、駅の構内などを指す。
【００５８】
一方、輝度制御モード判定部６８は、輝度制御モードを昼間モードに設定した場合に（ステップＳ４１５）、自機の現在位置が所定の第１の建物内にないと判定した場合には（ステップＳ４３０でＮＯ）、輝度制御モードを第１モードに設定する（ステップＳ４４５）。
【００５９】
以上の第２の実施形態においても第１の実施形態の場合と同様に、携帯端末装置の利用状況に応じて表示装置の輝度を急峻に変化させる場合と、ちらつき等によるユーザの違和感を抑制するために緩やかに輝度変化させる場合とを両立させることができる。
【００６０】
＜第３の実施形態＞
第３の実施形態の携帯端末装置は、図３の利用状況検出部６２の制御動作が第１および図２の実施形態の場合と異なる。具体的に、第３の実施形態は、図６、図７のフローチャートにおいてステップＳ２００が実行されない点、ならびに図９、図１０のフローチャートでステップＳ４００が実行されない点で第１および第２の実施形態と異なる。第３の実施形態のその他の点は第１および第２の実施形態の場合と同じである。
【００６１】
第１および第２の実施形態の場合には、加速度センサ３４を用いてユーザの移動を検出したときに初めて、ＧＰＳモジュール２２または無線通信モジュール１８などの通信手段を用いて自装置の現在位置に関する情報を検出するようになっていた。したがって、ユーザが、通信も移動も行っていない場合は、通信手段をあらためて起動する必要する必要がないので消費電力をより少なくすることができる。
【００６２】
一方、第３の実施形態の場合には、加速度センサ３４を実装する必要はないが、自装置の現在位置に関する情報を検出するために必ず通信手段を使用する必要がある。したがって、第１および第２の実施形態の場合に比べて消費電力は増加することになる。
【００６３】
＜その他の変形例＞
なお、上記の各実施形態と異なり、輝度制御モードの総数を４つ以上にすることも可能である。
【００６４】
今回開示された実施形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００６５】
１０  携帯端末装置、１２  ＣＰＵ、１８  無線通信モジュール、２２  ＧＰＳモジュール、２６  タッチパネル、２８  タッチパッド、３０  表示装置、３２  照度センサ、３４  加速度センサ、４０  リアルタイムクロック、５０  筐体、６２  利用状況検出部、６４  輝度制御部、６６  表示制御部、６８  輝度制御モード判定部。
【図１】
2016095365.tif 000003
【図２】
2016095365.tif 000004
【図３】
2016095365.tif 000005
【図４】
2016095365.tif 000006
【図５】
2016095365.tif 000007
【図６】
2016095365.tif 000008
【図７】
2016095365.tif 000009
【図８】
2016095365.tif 000010
【図９】
2016095365.tif 000011
【図１０】
2016095365.tif 000012